(57)【要約】【課題】ビデオ信号入力端子から入力された映像信号を利便性良好に視聴制限する。【解決手段】ＭＰＵ１１は、リモコン２を介してユーザからの操作入力を受け付けて、受け付けられた操作入力に基づいて、ビデオ信号入力端子１９から入力された映像情報を視聴可能な時間である視聴制限時間を設定する時間設定部１１２と、ビデオ信号入力端子１９からの映像情報の入力が開始された時点からの経過時間を測定する時間測定部１１３と、測定された経過時間が視聴制限時間に到達したか否かを判定する時間判定部１１４と、視聴制限時間に到達したと判定された場合に、ディスプレイ３１を予め設定された向きに予め設定された角度だけ回動させるべく駆動モータ３３６を制御する回動制御部１１６と、を備えている。【選択図】図３
2008278280.tif 000002
【特許請求の範囲】
【請求項１】
少なくとも１の軸を中心として駆動モータを介して回動自在に構成されたモニタと通信可能に接続され、テレビジョン放送を受信可能に構成されると共に、外部から映像信号が入力されるビデオ信号入力端子を備え、受信した映像情報、又は、前記ビデオ信号入力端子から入力された映像信号を、外部から視認可能に前記モニタに出力する放送受信装置であって、
外部からの操作入力を受け付けて、受け付けられた操作入力に基づいて、前記ビデオ信号入力端子から入力された映像情報を視聴可能な時間である視聴制限時間を設定する時間設定手段と、
前記ビデオ信号入力端子からの映像情報の入力が開始された時点からの経過時間を測定する時間測定手段と、
前記時間測定手段によって測定された経過時間が、前記時間設定手段によって設定された視聴制限時間に到達したか否かを判定する時間判定手段と、
前記時間判定手段によって視聴制限時間に到達したと判定された場合に、前記モニタを予め設定された向きに予め設定された角度だけ回動させるべく前記駆動モータを制御する回動制御手段と、
を備えることを特徴とする放送受信装置。
【請求項２】
前記モニタは、予め設定された上下方向の軸を中心として回動可能に構成されたものであって、
前記ビデオ信号入力端子からの映像情報の入力が開始された時点において、前記モニタが設定されている向きを基準として、前記上下方向の軸を中心として回動可能な限界位置までの時計回りの角度及び反時計回りの角度を求める角度算出手段を備え、
前記回動制御手段は、前記角度算出手段によって求められた時計回りの角度及び反時計回りの角度の内、大きい方の角度の回転方向に回動可能な限界位置まで回動させるべく前記駆動モータを制御することを特徴とする請求項１に記載の放送受信装置。
【請求項３】
前記時間判定手段によって視聴制限時間に到達したと判定された場合に、前記ビデオ信号入力端子から入力された映像情報を、視認困難な形態に加工して前記モニタに表示する映像加工手段を備えることを特徴とする請求項１又は請求項２に記載の放送受信装置。
【請求項４】
前記映像加工手段は、前記ビデオ信号入力端子から入力された映像情報の内、予め設定された一部を消去して前記モニタに表示することを特徴とする請求項３に記載の放送受信装置。
【請求項５】
前記映像加工手段は、前記ビデオ信号入力端子から入力された映像情報を予め設定された形態に歪ませることを特徴とする請求項３又は請求項４に記載の放送受信装置。
【請求項６】
前記映像加工手段は、前記ビデオ信号入力端子から入力された映像情報にモザイク処理を施すことを特徴とする請求項３〜請求項５のいずれかに記載の放送受信装置。
【請求項７】
前記映像加工手段は、前記ビデオ信号入力端子から入力された映像情報の色相、明度及び彩度の内、少なくとも１の要素を視認困難な形態に変更することを特徴とする請求項３〜請求項６のいずれかに記載の放送受信装置。
【発明の詳細な説明】
【技術分野】
【０００１】
本発明は、少なくとも１の軸を中心として駆動モータを介して回動自在に構成されたモニタと通信可能に接続され、テレビジョン放送を受信可能に構成されると共に、外部から映像信号が入力されるビデオ信号入力端子を備え、受信した映像情報、又は、前記ビデオ信号入力端子から入力された映像信号を、外部から視認可能に前記モニタに出力する放送受信装置に関する。
【背景技術】
【０００２】
従来、テレビジョン放送を受信可能に構成されると共に、外部から映像信号が入力されるビデオ信号入力端子を備え、受信した映像情報、又は、前記ビデオ信号入力端子から入力された映像信号を、外部から視認可能にモニタに出力する放送受信装置では、テレビ番組の視聴制限に加えて、テレビゲーム、ビデオ等の視聴制限をも行うことを可能にしたものが提案されている。
【０００３】
例えば、現在時間が電源オフ時間帯の範囲内に含まれているか否か判定し、含まれていると判定すれば、電源の供給を禁止するテレビ受像機が開示されている（特許文献１参照）。上記テレビ受像機によれば、テレビゲーム、ビデオ等の視聴制限をも行うことができる。
【特許文献１】特開２００６−３３３０２８号公報
【発明の開示】
【発明が解決しようとする課題】
【０００４】
しかしながら、テレビゲーム、ビデオ等の視聴をしている者（例えば、子供等）にとって、ハイライトシーン等で突然電源がＯＦＦされることは、不快であり、且つ、ストレスの原因となる場合がある。また、電源がＯＦＦされると、テレビジョン放送を視聴することもできないが、視聴制限を課す者（例えば、保護者等）は、テレビゲーム、ビデオ等の視聴のみを制限することを所望する場合がある。
【０００５】
本発明は、上記課題に鑑みてなされたものであって、ビデオ信号入力端子から入力された映像信号を利便性良好に視聴制限することの可能な放送受信装置を提供することを目的としている。
【課題を解決するための手段】
【０００６】
上記目的を達成するために請求項１に記載の放送受信装置は、少なくとも１の軸を中心として駆動モータを介して回動自在に構成されたモニタと通信可能に接続され、テレビジョン放送を受信可能に構成されると共に、外部から映像信号が入力されるビデオ信号入力端子を備え、受信した映像情報、又は、前記ビデオ信号入力端子から入力された映像信号を、外部から視認可能に前記モニタに出力する放送受信装置であって、外部からの操作入力を受け付けて、受け付けられた操作入力に基づいて、前記ビデオ信号入力端子から入力された映像情報を視聴可能な時間である視聴制限時間を設定する時間設定手段と、前記ビデオ信号入力端子からの映像情報の入力が開始された時点からの経過時間を測定する時間測定手段と、前記時間測定手段によって測定された経過時間が、前記時間設定手段によって設定された視聴制限時間に到達したか否かを判定する時間判定手段と、前記時間判定手段によって視聴制限時間に到達したと判定された場合に、前記モニタを予め設定された向きに予め設定された角度だけ回動させるべく前記駆動モータを制御する回動制御手段と、を備えることを特徴としている。
【０００７】
請求項２に記載の放送受信装置は、請求項１に記載の放送受信装置であって、前記モニタが、予め設定された上下方向の軸を中心として回動可能に構成されたものであって、前記ビデオ信号入力端子からの映像情報の入力が開始された時点において、前記モニタが設定されている向きを基準として、前記上下方向の軸を中心として回動可能な限界位置までの時計回りの角度及び反時計回りの角度を求める角度算出手段を備え、前記回動制御手段が、前記角度算出手段によって求められた時計回りの角度及び反時計回りの角度の内、大きい方の角度の回転方向に回動可能な限界位置まで回動させるべく前記駆動モータを制御することを特徴としている。
【０００８】
請求項３に記載の放送受信装置は、請求項１又は請求項２に記載の放送受信装置であって、前記時間判定手段によって視聴制限時間に到達したと判定された場合に、前記ビデオ信号入力端子から入力された映像情報を、視認困難な形態に加工して前記モニタに表示する映像加工手段を備えることを特徴としている。
【０００９】
請求項４に記載の放送受信装置は、請求項３に記載の放送受信装置であって、前記映像加工手段が、前記ビデオ信号入力端子から入力された映像情報の内、予め設定された一部を消去して前記モニタに表示することを特徴としている。
【００１０】
請求項５に記載の放送受信装置は、請求項３又は請求項４に記載の放送受信装置であって、前記映像加工手段が、前記ビデオ信号入力端子から入力された映像情報を予め設定された形態に歪ませることを特徴としている。
【００１１】
請求項６に記載の放送受信装置は、請求項３〜請求項５のいずれかに記載の放送受信装置であって、前記映像加工手段が、前記ビデオ信号入力端子から入力された映像情報にモザイク処理を施すことを特徴としている。
【００１２】
請求項７に記載の放送受信装置は、請求項３〜請求項６のいずれかに記載の放送受信装置であって、前記映像加工手段が、前記ビデオ信号入力端子から入力された映像情報の色相、明度及び彩度の内、少なくとも１の要素を視認困難な形態に変更することを特徴としている。
【発明の効果】
【００１３】
請求項１に記載の放送受信装置によれば、外部からの操作入力が受け付けられて、受け付けられた操作入力に基づいて、ビデオ信号入力端子から入力された映像情報を視聴可能な時間である視聴制限時間が設定され、ビデオ信号入力端子からの映像情報の入力が開始された時点からの経過時間が測定される。そして、測定された経過時間が、設定された視聴制限時間に到達したか否かが判定され、視聴制限時間に到達したと判定された場合に、モニタを予め設定された向きに予め設定された角度だけ回動させるべく駆動モータが制御されるため、ビデオ信号入力端子から入力された映像信号を利便性良好に視聴制限することができる。
【００１４】
すなわち、ビデオ信号入力端子からの映像情報の入力が開始された時点からの経過時間が、設定された視聴制限時間に到達したと判定された場合に、モニタを予め設定された向きに予め設定された角度だけ回動させるべく駆動モータが制御されるため、ビデオ信号入力端子からの映像情報を視聴することは可能であるものの、ユーザの視点からのモニタに表示される画面に対する角度が視認性の良好ではない状態となり、快適に視聴を継続することはできない状態となるので、ビデオ信号入力端子から入力された映像信号を利便性良好に視聴制限することができるのである。
【００１５】
請求項２に記載の放送受信装置によれば、ビデオ信号入力端子からの映像情報の入力が開始された時点において、モニタが設定されている向きを基準として、上下方向の軸を中心として回動可能な限界位置までの時計回りの角度及び反時計回りの角度が求められ、求められた時計回りの角度及び反時計回りの角度の内、大きい方の角度の回転方向に回動可能な限界位置まで回動させるべく駆動モータが制御されるため、ビデオ信号入力端子から入力された映像信号を確実に視聴制限することができる。
【００１６】
すなわち、ビデオ信号入力端子からの映像情報の入力が開始された時点において、モニタが設定されている向きを基準として、上下方向の軸を中心として回動可能な限界位置までの時計回りの角度及び反時計回りの角度が求められ、求められた時計回りの角度及び反時計回りの角度の内、大きい方の角度の回転方向に回動可能な限界位置まで回動させるべく駆動モータが制御されるため、ビデオ信号入力端子からの映像情報の入力が開始された時点（例えば、ビデオゲームを開始した時点）において最適な向きにモニタが設定されている場合には、モニタが最も視認性の悪い向きに変更されるので、ビデオ信号入力端子から入力された映像信号を確実に視聴制限することができるのである。
【００１７】
請求項３に記載の放送受信装置によれば、視聴制限時間に到達したと判定された場合に、ビデオ信号入力端子から入力された映像情報が、視認困難な形態に加工されてモニタに表示されるため、モニタに表示されるビデオ信号入力端子から入力された映像情報の視認性が更に悪化されるので、ビデオ信号入力端子から入力された映像信号を更に確実に視聴制限することができる。
【００１８】
請求項４に記載の放送受信装置によれば、視聴制限時間に到達したと判定された場合に、ビデオ信号入力端子から入力された映像情報の内、予め設定された一部が消去されてモニタに表示されるため、モニタに表示されるビデオ信号入力端子から入力された映像情報の視認性が更に悪化されるので、簡素な構成でビデオ信号入力端子から入力された映像信号を更に確実に視聴制限することができる。
【００１９】
請求項５に記載の放送受信装置によれば、視聴制限時間に到達したと判定された場合に、ビデオ信号入力端子から入力された映像情報が予め設定された形態に歪ませられるため、モニタに表示されるビデオ信号入力端子から入力された映像情報の視認性が更に悪化されるので、ビデオ信号入力端子から入力された映像信号を更に確実に視聴制限することができる。
【００２０】
請求項６に記載の放送受信装置によれば、視聴制限時間に到達したと判定された場合に、ビデオ信号入力端子から入力された映像情報にモザイク処理が施されるため、モニタに表示されるビデオ信号入力端子から入力された映像情報の視認性が更に悪化されるので、ビデオ信号入力端子から入力された映像信号を更に確実に視聴制限することができる。
【００２１】
請求項７に記載の放送受信装置によれば、視聴制限時間に到達したと判定された場合に、ビデオ信号入力端子から入力された映像情報の色相、明度及び彩度の内、少なくとも１の要素が視認困難な形態に変更されるため、モニタに表示されるビデオ信号入力端子から入力された映像情報の視認性が更に悪化されるので、ビデオ信号入力端子から入力された映像信号を更に確実に視聴制限することができる。
【発明を実施するための最良の形態】
【００２２】
以下に本発明の実施形態を、図面を参照しながら説明する。図１は、本発明に係るデジタル放送受信機の構成の一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されると共に、出力装置３に映像情報、音声情報等を出力可能に接続され、更に、ゲーム装置４からビデオ信号を受信可能に接続されている。
【００２３】
デジタル放送受信機１は、リモコン２を介してユーザからの操作入力を受け付けて、受け付けた操作入力に基づいて、デジタル方式のテレビジョン放送を受信すると共に、ゲーム装置４からビデオ信号を受け付けて、出力装置３に対して映像及び音声を出力するものである。
【００２４】
リモコン２（時間設定手段の一部に相当する）は、ユーザからの操作入力を受け付けて、受け付けられた操作入力に対応する赤外線信号を生成して、デジタル放送受信機１に対して出力するものである。
【００２５】
出力装置３は、ディスプレイ３１及びスピーカ３２を備え、デジタル放送受信機１から入力された音声情報及び映像情報を出力するものである。ディスプレイ３１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報を外部から視認可能に表示するものである。スピーカ３２は、デジタル放送受信機１から入力された音声情報を出力するものである。
【００２６】
ゲーム装置４は、図略のコントローラを介してユーザの操作入力を受け付けて、受け付けられた操作入力に基づいて、ロールプレイングゲーム、レーシングゲーム等のビデオゲームを実行可能に構成されたものであって、デジタル放送受信機１を介して、出力装置３に音声情報及び映像情報を出力するものである。
【００２７】
また、デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、ビデオ信号入力端子１９を備えている。
【００２８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２９】
操作部１４は、ディスプレイ３１の向きの調整操作、電源のＯＮ、ＯＦＦ操作、選局、各種設定等の各種操作を受け付けるものである。また、操作部１４は、赤外線通信を介して、リモコン２からの操作信号を受け付けて、各種操作を受け付けるものである。受信部１５は、デジタル方式のテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３１】
音声出力部１６は、受信部１５によって受信されたテレビジョン放送に対応する音声信号をスピーカ３２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ３２に対して出力するものである。
【００３２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３３】
画像出力部１８は、ＭＰＥＧ２デコード部１７によって復号化された映像信号をディスプレイ３１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ３１に対して出力するものである。
【００３４】
ビデオ信号入力端子１９は、ゲーム装置４からのビデオ信号を受け付けるものであって、受け付けられたビデオ信号は、ＭＰＵ１１の指示に従ってディスプレイ３１及びスピーカ３２に対して出力される。
【００３５】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ３２から音声が出力される。
【００３７】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ３１に映像が表示される。
【００３８】
図２は、図１に示す出力装置３の構成の一例を示す構成図である。（ａ）は、出力装置３の側面断面図である。出力装置３は、図１に示すディスプレイ３１及びスピーカ３２に加えて、台座３３を備えている。台座３３は、ディスプレイ３１及びスピーカ３２が係止されて支持すると共に、ディスプレイ３１を上下方向の軸を中心として回動するものである。
【００３９】
台座３３は、支持部材３３１、回転部材３３２、ベアリング３３３、固定部材３３４、ギア部材３３５、及び、駆動モータ３３６を備えている。支持部材３３１は、上端がディスプレイ３１及びスピーカ３２に係止され、下端が回転部材３３２に係止された柱状の部材であって、ディスプレイ３１及びスピーカ３２を支持するものである。回転部材３３２は、ベアリング３３３を介して固定部材３３４に回転自在に係合されると共に、ギア部材３３５を介して駆動モータ３３６によって回転駆動される円板状の部材であって、支持部材３３１を回転自在に支持するものである。また、回転部材３３２には、回転角を予め設定された所定の範囲（例えば、−１５度〜＋１５度）に規制する図略の規制部材が形成されている。図略の規制部材は、例えば、固定部材３３４に形成された図略の凸部と当接することによって回転角を規制するものである。
【００４０】
ベアリング３３３は、回転部材３３２と固定部材３３４との間に介設され、回転部材３３２を回転自在に支持するものである。固定部材３３４は、床面等に載置され、ベアリング３３３を介して回転部材３３２を支持するものである。ギア部材３３５は、一方端が回転部材３３２に係止され、他方端が駆動モータ３３６の駆動軸に係止されたものであって、駆動モータ３３６の駆動力を回転部材３３２に伝達し、回転部材３３２を回転駆動するものである。駆動モータ３３６は、図１に示すＭＰＵ１１からの指示に従って、ギア部材３３５を介して回転部材３３２を回転駆動するものである。
【００４１】
図２（ｂ）は、回転部材３３２の端部近傍の詳細図である。回転部材３３２の下面端部には、線状の溝３３２ａが略等間隔で形成されており、固定部材３３４の上面には、溝３３２ａと対向する位置にフォトセンサ３３７が配設されている。フォトセンサ３３７（回動制御手段の一部に相当する）は、溝３３２ａの通過個数を検出することによって、回転部材３３２の回転角を検出するものであって、検出した回転部材３３２の回転角をＭＰＵ１１へ出力するものである。
【００４２】
ここで、台座３３の回転動作について説明する。ＭＰＵ１１からの指示に従って駆動モータ３３６が駆動され、ギア部材３３５を介して回転部材３３２、支持部材３３１、ディスプレイ３１及びスピーカ３２が一体となって回転される。そして、回転部材３３２の回転角がフォトセンサ３３７によって検出され、検出された回転角に基づいて、ＭＰＵ１１は、所定のタイミング（＝設定された回転角となったタイミング）で駆動モータ３３６を停止するものである。
【００４３】
図３は、本発明に係るデジタル放送受信機１における主要部の機能構成の一例を示すブロック図である。デジタル放送受信機１のＭＰＵ１１は、機能的に、加工条件設定部１１１、時間設定部１１２、時間測定部１１３、時間判定部１１４、角度算出部１１５、回動制御部１１６、及び、映像加工部１１７を備え、ＲＡＭ１２は、機能的に、加工条件記憶部１２１、及び、時間記憶部１２２を備えている。
【００４４】
ここでは、ＭＰＵ１１が、図１に示すＲＯＭ１３等に予め格納された制御プログラムを読み出して実行することにより、加工条件設定部１１１、時間設定部１１２、時間測定部１１３、時間判定部１１４、角度算出部１１５、回動制御部１１６、及び、映像加工部１１７等の機能部として機能すると共に、ＲＡＭ１２を、加工条件記憶部１２１、時間記憶部１２２等の機能部として機能させるものである。
【００４５】
また、図１に示すＲＡＭ１２、ＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４６】
加工条件記憶部１２１は、加工条件設定部１１１によって設定された映像情報の加工条件を格納するものである。加工条件記憶部１２１に格納された加工条件は、映像加工部１１７によって読み出されるものである。
【００４７】
時間記憶部１２２は、時間設定部１１２によって設定された映像情報を視聴可能な時間である視聴制限時間を格納するものである。時間記憶部１２２に格納された視聴制限時間は、時間判定部１１４によって読み出されるものである。
【００４８】
加工条件設定部１１１は、リモコン２を介してユーザからの操作入力を受け付けて、受け付けられた操作入力に基づいて、ビデオ信号入力端子１９から入力された映像情報を加工する条件である加工条件を設定し、設定された加工条件を加工条件記憶部１２１に格納するものである。ここでは、加工条件として、下記の４つ加工条件（加工条件Ａ〜加工条件Ｄ）の中から、少なくとも１の加工条件を設定可能に構成されている。また、複数の加工条件を設定することも可能である。
【００４９】
加工条件Ａ：ビデオ信号入力端子１９から入力された映像情報の内、予め設定された一部（例えば、ディスプレイ３１に表示される表示画面の内、均等に９分割された領域の中央部）を消去するべく、映像情報を加工する。
【００５０】
加工条件Ｂ：ビデオ信号入力端子１９から入力された映像情報を予め設定された形態に歪ませるべく（例えば、矩形に表示される映像情報を、縦方向又は横方向に予め設定された倍率（例えば、２／３倍）に縮小するべく）映像情報を加工する。
【００５１】
加工条件Ｃ：ビデオ信号入力端子１９から入力された映像情報に、予め設定された所定の大きさ（例えば、１０ｍｍ×１０ｍｍ）のモザイク処理を施すべく映像情報を加工する。
【００５２】
加工条件Ｄ：ビデオ信号入力端子１９から入力された映像情報の色相、明度及び彩度の内、少なくとも１の要素を視認困難な形態に変更するべく（例えば、色相をランダムに変更する、且つ、明度及び彩度を予め設定された倍率（例えば、１／２倍）に低下するべく）映像情報を加工する。
【００５３】
時間設定部１１２（時間設定手段の一部に相当する）は、リモコン２を介してユーザからの操作入力を受け付けて、受け付けられた操作入力に基づいて、ビデオ信号入力端子１９から入力された映像情報を視聴可能な時間である視聴制限時間を設定し、設定された視聴制限時間を時間記憶部１２２に格納するものである。
【００５４】
時間測定部１１３（時間測定手段に相当する）は、計時機能を備え、ビデオ信号入力端子１９からの映像情報の入力が開始された時点からの経過時間を測定するものである。
【００５５】
時間判定部１１４（時間判定手段に相当する）は、時間測定部１１３によって測定された経過時間が、時間記憶部１２２に格納された視聴制限時間に到達したか否かを判定するものである。
【００５６】
角度算出部１１５（角度算出手段に相当する）は、ビデオ信号入力端子１９からの映像情報の入力が開始された時点において、ディスプレイ３１が設定されている向きを基準として、上下方向の軸を中心として回動可能な限界位置までの時計回りの角度θ１及び反時計回りの角度θ２を求めるものである。
【００５７】
図４は、角度算出部１１５によって算出される時計回りの角度θ１及び反時計回りの角度θ２の一例を示す図である。（ａ）は、ビデオ信号入力端子１９からの映像情報の入力が開始された時点において、ディスプレイ３１が設定されている向きが時計回りにθ０（ここでは、５度）である場合を示す図である。この場合には、角度算出部１１５によって算出される時計回りの角度θ１（１０度＝１５度−５度）は、反時計回りの角度θ２（２０度＝１５度＋５度）より小さくなる。
【００５８】
（ｂ）は、ビデオ信号入力端子１９からの映像情報の入力が開始された時点において、ディスプレイ３１が設定されている向きが反時計回りにθ０（ここでは、１０度）である場合を示す図である。この場合には、角度算出部１１５によって算出される時計回りの角度θ１（２５度＝１５度＋１０度）は、反時計回りの角度θ２（５度＝１５度−１０度）より大きくなる。従って、（ａ）に示す場合には、回動制御部１１６によって反時計回りに角度θ２（＝２０度）だけ回転され、（ｂ）に示す場合には、回動制御部１１６によって時計回りに角度θ１（＝２５度）だけ回転されることになる。
【００５９】
回動制御部１１６（回動制御手段の一部に相当する）は、時間判定部１１４によって視聴制限時間に到達したと判定された場合に、ディスプレイ３１を予め設定された向きに予め設定された角度だけ回動させるべく駆動モータ３３６を制御するものである。より具体的には、回動制御部１１６は、時間判定部１１４によって視聴制限時間に到達したと判定された場合に、角度算出部１１５によって求められた時計回りの角度θ１及び反時計回りの角度θ２の内、大きい方の角度の回転方向に回動可能な限界位置まで回動させるべく駆動モータ３３６を制御するものである。
【００６０】
映像加工部１１７（映像加工手段に相当する）は、時間判定部１１４によって視聴制限時間に到達したと判定された場合に、ビデオ信号入力端子１９から入力された映像情報を、加工条件記憶部１２１に格納された加工条件に従って、視認困難な形態に加工してディスプレイ３１に表示するものである。
【００６１】
図５は、デジタル放送受信機１（主にＭＰＵ１１）の動作の一例を示すフローチャートである。ここでは、便宜上、加工条件設定部１１１によって予め加工条件が設定され、加工条件記憶部１２１に格納され、且つ、時間設定部１１２によって予め視聴制限時間が設定され時間記憶部１２２に格納されている場合について説明する。まず、時間測定部１１３によって、ビデオ信号入力端子１９からの映像情報の入力が開始されたか否かの判定が行われる（Ｓ１０１）。
【００６２】
ビデオ信号入力端子１９からの映像情報の入力が開始されていないと判定された場合（Ｓ１０１でＮＯ）には、処理が待機状態とされる。ビデオ信号入力端子１９からの映像情報の入力が開始されたと判定された場合（Ｓ１０１でＹＥＳ）には、時間測定部１１３によって経過時間の測定が開始される（Ｓ１０３）。そして、角度算出部１１５によって、ビデオ信号入力端子１９からの映像情報の入力が開始された時点において、ディスプレイ３１が設定されている向きを基準として、上下方向の軸を中心として回動可能な限界位置までの時計回りの角度θ１及び反時計回りの角度θ２が求められる（Ｓ１０５）。
【００６３】
次に、回動制御部１１６によって、ステップＳ１０５で求められた時計回りの角度θ１及び反時計回りの角度θ２の内、大きい方の角度の向きが回動する向きとして設定される（Ｓ１０７）。そして、時間判定部１１４によって、時間測定部１１３により測定された経過時間が、時間記憶部１２２に格納された視聴制限時間以上であるか否かの判定が行われる（Ｓ１０９）。経過時間が視聴制限時間未満であると判定された場合（Ｓ１０９でＮＯ）には、処理が待機状態とされる。
【００６４】
経過時間が視聴制限時間以上であると判定された場合（Ｓ１０９でＹＥＳ）には、回動制御部１１６によってステップＳ１０７において設定された向きに回動可能な限界位置まで回動させるべく駆動モータ３３６が制御される（Ｓ１１１）。そして、映像加工部１１７によって、加工条件記憶部１２１に格納された加工条件が読み出される（Ｓ１１３）。次いで、映像加工部１１７によって、ビデオ信号入力端子１９から入力された映像情報が、ステップＳ１１３において読み出された加工条件に従って、視認困難な形態に加工されてディスプレイ３１に表示され（Ｓ１１５）、処理が終了される。
【００６５】
このようにして、リモコン２を介してユーザからの操作入力が受け付けられて、受け付けられた操作入力に基づいて、ビデオ信号入力端子１９から入力された映像情報を視聴可能な時間である視聴制限時間が設定され、ビデオ信号入力端子１９からの映像情報の入力が開始された時点からの経過時間が測定される。そして、測定された経過時間が、設定された視聴制限時間に到達したか否かが判定され、視聴制限時間に到達したと判定された場合に、ディスプレイ３１を予め設定された向きに予め設定された角度だけ回動させるべく駆動モータ３３６が制御されるため、ビデオ信号入力端子１９から入力された映像信号を利便性良好に視聴制限することができる。
【００６６】
すなわち、ビデオ信号入力端子１９からの映像情報の入力が開始された時点からの経過時間が、設定された視聴制限時間に到達したと判定された場合に、ディスプレイ３１を予め設定された向きに予め設定された角度だけ回動させるべく駆動モータ３３６が制御されるため、ビデオ信号入力端子１９からの映像情報を視聴することは可能であるものの、ユーザの視点からのディスプレイ３１に表示される画面に対する角度が視認性の良好ではない状態となり、快適に視聴を継続することはできない状態となるので、ビデオ信号入力端子１９から入力された映像信号を利便性良好に視聴制限することができるのである。
【００６７】
また、ビデオ信号入力端子１９からの映像情報の入力が開始された時点において、ディスプレイ３１が設定されている向きを基準として、上下方向の軸を中心として回動可能な限界位置までの時計回りの角度θ１及び反時計回りの角度θ２が求められ、求められた時計回りの角度θ１及び反時計回りの角度θ２の内、大きい方の角度の回転方向に回動可能な限界位置まで回動させるべく駆動モータ３３６が制御されるため、ビデオ信号入力端子１９から入力された映像信号を確実に視聴制限することができる（図４参照）。
【００６８】
すなわち、ビデオ信号入力端子１９からの映像情報の入力が開始された時点において、ディスプレイ３１が設定されている向きを基準として、上下方向の軸を中心として回動可能な限界位置までの時計回りの角度θ１及び反時計回りθ２の角度が求められ、求められた時計回りの角度θ１及び反時計回りの角度θ２の内、大きい方の角度の回転方向に回動可能な限界位置まで回動させるべく駆動モータ３３６が制御されるため、ビデオ信号入力端子１９からの映像情報の入力が開始された時点（ここでは、ゲーム装置４においてビデオゲームを開始した時点）において最適な向きにディスプレイ３１が設定されている場合には、ディスプレイ３１が最も視認性の悪い向きに変更されるので、ビデオ信号入力端子１９から入力された映像信号を確実に視聴制限することができるのである。
【００６９】
更に、視聴制限時間に到達したと判定された場合に、ビデオ信号入力端子１９から入力された映像情報が、視認困難な形態に加工されてディスプレイ３１に表示されるため、ディスプレイ３１に表示されるビデオ信号入力端子１９から入力された映像情報の視認性が更に悪化されるので、ビデオ信号入力端子１９から入力された映像信号を更に確実に視聴制限することができる。
【００７０】
加えて、視聴制限時間に到達したと判定された場合に、ビデオ信号入力端子１９から入力された映像情報の内、予め設定された一部（ここでは、ディスプレイ３１に表示される表示画面の内、均等に９分割された領域の中央部）が消去されてディスプレイ３１に表示されるため、ディスプレイ３１に表示されるビデオ信号入力端子１９から入力された映像情報の視認性が更に悪化されるので、簡素な構成でビデオ信号入力端子１９から入力された映像信号を更に確実に視聴制限することができる。
【００７１】
また、視聴制限時間に到達したと判定された場合に、ビデオ信号入力端子１９から入力された映像情報が予め設定された形態に歪ませられる（ここでは、矩形に表示される映像情報を、縦方向又は横方向に予め設定された倍率（例えば、２／３倍）に縮小される）ため、ディスプレイ３１に表示されるビデオ信号入力端子１９から入力された映像情報の視認性が更に悪化されるので、ビデオ信号入力端子１９から入力された映像信号を更に確実に視聴制限することができる。
【００７２】
更に、視聴制限時間に到達したと判定された場合に、ビデオ信号入力端子１９から入力された映像情報に、予め設定された所定の大きさ（ここでは、１０ｍｍ×１０ｍｍ）のモザイク処理が施されるため、ディスプレイ３１に表示されるビデオ信号入力端子１９から入力された映像情報の視認性が更に悪化されるので、ビデオ信号入力端子１９から入力された映像信号を更に確実に視聴制限することができる。
【００７３】
加えて、視聴制限時間に到達したと判定された場合に、ビデオ信号入力端子１９から入力された映像情報の色相、明度及び彩度の内、少なくとも１の要素が視認困難な形態に変更される（ここでは、色相がランダムに変更され、且つ、明度及び彩度を予め設定された倍率（例えば、１／２倍）に低下される）ため、ディスプレイ３１に表示されるビデオ信号入力端子１９から入力された映像情報の視認性が更に悪化されるので、ビデオ信号入力端子１９から入力された映像信号を更に確実に視聴制限することができる。
【００７４】
なお、本発明は、以下の形態にも適用可能である。
（Ａ）本実施形態では、ディスプレイ３１が上下方向の軸を中心として回動可能に構成されている場合について説明したが、ディスプレイ３１が少なくとも１の軸を中心として駆動モータを介して回動自在に構成されている形態であればよい。例えば、ディスプレイ３１が左右方向の軸を中心として回動可能に構成されている形態でもよい。また、ディスプレイ３１が上下方向の軸を中心として回動可能に構成され、且つ、左右方向の軸を中心として回動可能に構成されている形態でもよい。
【００７５】
（Ｂ）本実施形態では、ＭＰＵ１１が、加工条件設定部１１１、時間設定部１１２、時間測定部１１３、時間判定部１１４、角度算出部１１５、回動制御部１１６、映像加工部１１７等の機能部として機能する場合について説明したが、加工条件設定部１１１、時間設定部１１２、時間測定部１１３、時間判定部１１４、角度算出部１１５、回動制御部１１６、及び、映像加工部１１７の内、少なくとも１の機能部が、回路等のハードウェアによって構成されている形態でもよい。
【００７６】
（Ｃ）本実施形態では、回動制御部１１６が、時間判定部１１４によって視聴制限時間に到達したと判定された場合に、時計回りの角度θ１及び反時計回りの角度θ２の内、大きい方の角度の回転方向に回動可能な限界位置まで回動させるべく駆動モータ３３６を制御する場合について説明したが、回動制御部１１６が、時間判定部１１４によって視聴制限時間に到達したと判定された場合に、予め設定された所定時間毎（例えば、５分毎）に予め設定された所定角度（例えば、５度）だけ、順次、回動可能な限界位置まで回動させるべく駆動モータ３３６を制御する形態でもよい。この場合には、視聴制限時間に到達した後、順次、ディスプレイ３１の視認性が悪化されるため、利便性を更に向上することができる。
【００７７】
（Ｄ）本実施形態では、映像加工部１１７が、時間判定部１１４によって視聴制限時間に到達したと判定された場合に、加工条件記憶部１２１に格納された加工条件に従って視認困難な形態に加工してディスプレイ３１に表示する場合について説明したが、映像加工部１１７が、時間判定部１１４によって視聴制限時間に到達したと判定された場合に、予め設定された所定時間毎（例えば、５分毎）に、順次、視認困難な形態に加工してディスプレイ３１に表示する形態でもよい。例えば、映像加工部１１７が、５分毎に、加工条件Ａ〜加工条件Ｄを追加していく形態でもよい。この場合には、視聴制限時間に到達した後、順次、ディスプレイ３１の視認性が悪化されるため、利便性を更に向上することができる。
【図面の簡単な説明】
【００７８】
【図１】は、本発明に係るデジタル放送受信機の構成の一例を示す構成図である。
【図２】は、図１に示す出力装置の構成の一例を示す構成図である。
【図３】は、本発明に係るデジタル放送受信機における主要部の機能構成の一例を示すブロック図である。
【図４】は、角度算出部によって算出される時計回りの角度θ１及び反時計回りの角度θ２の一例を示す図である。
【図５】は、デジタル放送受信機（主にＭＰＵ）の動作の一例を示すフローチャートである。
【符号の説明】
【００７９】
１    デジタル放送受信機
１１    ＭＰＵ
１１１    加工条件設定部
１１２    時間設定部（時間設定手段の一部）
１１３    時間測定部（時間測定手段）
１１４    時間判定部（時間判定手段）
１１５    角度算出部（角度算出手段）
１１６    回動制御部（回動制御手段の一部）
１１７    映像加工部（映像加工手段）
１２    ＲＡＭ
１２１    加工条件記憶部
１２２    時間記憶部
２    リモコン（時間設定手段の一部）
３    出力装置
３１    ディスプレイ（モニタ）
３３    台座
３３６    駆動モータ
３３７    フォトセンサ（回動制御手段の一部）
【図１】
2008278280.tif 000003
【図２】
2008278280.tif 000004
【図３】
2008278280.tif 000005
【図４】
2008278280.tif 000006
【図５】
2008278280.tif 000007